(57)【要約】【課題】側方を壁部によって囲むようにした保育器における処理性の向上や、清拭あるいは消毒の作業性の改善を図る。【解決手段】臥床架が配置された基台２の側方を前側壁部４、後側壁部、頭側壁部５、および脚側壁部６で囲むようにした保育器において、少なくとも１つの壁部４については、その下端側の部分に設けられたヒンジ機構によって外方に回動可能であって、完全に開放された場合には垂下されるとともに、ヒンジ機構が取り外し機構を備え、開放された後さらに壁部を取り外し得るようにしている。【選択図】図２
2014014441.tif 000002
【特許請求の範囲】
【請求項１】
基台上に臥床架を配置するとともに、前記臥床架の周囲を前側壁部、後側壁部、頭側壁部、および脚側壁部で囲むようにした保育器において、
前記前側壁部、後側壁部、頭側壁部、および脚側壁部の内の少なくとも１つの壁部がヒンジ機構によって外方に回動可能であって、しかも、前記ヒンジ機構が取り外し機構を備え、前記回動可能な前記少なくとも１つの壁部が取り外し可能であることを特徴とする保育器。
【請求項２】
前記前側壁部、後側壁部、および脚側壁部が回動可能であって、しかも、取り外し機構によって取り外し可能であることを特徴とする請求項１に記載の保育器。
【請求項３】
前記ヒンジ機構が前記基台上の取り付け枠によって取り付けられ、前記前側壁部、後側壁部、および脚側壁部の内の少なくとも１つの壁部がその下縁に取り付けられたヒンジ機構によってこのヒンジ機構の水平な軸線を中心に外方に回動可能に支持され、外方に回動されると前記少なくとも１つの壁部が下方に垂れ下がるようにして開放されることを特徴とする請求項１に記載の保育器。
【請求項４】
前記少なくとも１つの壁部の下縁にヒンジ板が連設されるとともに、このヒンジ板の先端部にケースが設けられ、このケース内に軸線方向に摺動可能にヒンジピンが保持されており、前記ケース内における前記ヒンジピンの軸線方向の移動機構によって前記取り外し機構が構成され、前記ヒンジピンの摺動動作によって前記少なくとも１つの壁部の取り付けと取り外しとが切り換えられることを特徴とする請求項３に記載の保育器。
【請求項５】
前記ヒンジピンに前記軸線方向と直交する方向に突出する操作レバーが設けられるとともに、前記ヒンジピンがコイルばねによって前記取り付け枠の凹部のピン穴に係合するように付勢され、前記操作レバーによって前記コイルばねの付勢力に抗して前記ヒンジピンを摺動させると、前記ヒンジピンが前記凹部のピン穴から離脱して前記少なくとも１つの壁部が取り外されるようにしたことを特徴とする請求項４に記載の保育器。
【請求項６】
前記取り付け枠の凹部の入口部分に傾斜面が形成され、この傾斜面に前記ヒンジピンを接触させながら前記少なくとも１つの壁部のケースを前記取り付け枠の凹部に押し込むと前記凹部の壁面によって前記ヒンジピンが前記コイルばねに抗して押し込まれるとともに、所定の押し込み位置で前記ヒンジピンが前記凹部のピン穴内に前記圧縮コイルばねによって押し込まれて取り付けられることを特徴とする請求項４に記載の保育器。
【発明の詳細な説明】
【技術分野】
【０００１】
本発明は保育器に係り、とくに基台上に臥床架を配置するとともに、側方を前側壁部、後側壁部、頭側壁部、および脚側壁部で囲むようにした保育器に関するものである。
【背景技術】
【０００２】
新生児や未熟児を保護しながら保育する保育器が、例えば特開２００５−１０３２６２号公報や特開２０１０−９９２４３号公報に開示されているように、従来から用いられている。この種の保育器は、新生児や未熟児を横たわらせる臥床架の周囲を前側壁部、後側壁部、頭側壁部、および脚側壁部の４つの壁部を連ねて囲むとともに、これら４つの壁部で囲まれた臥床架の上方を天面フードによって覆うようにしている。したがって、臥床架、４つの壁部および天面フードで囲まれたエンクロージャ内の限定された空間の温度や湿度などを制御することで、新生児や未熟児の保護や保育などのために必要な温度や湿度などを得ることができる。なお、エンクロージャ内の環境をできるだけ維持しながら、必要に応じて新生児や未熟児に対して外部から処置を施すことができるように、壁部に手入れ窓を形成したり、壁部を開放可能なように構成したりすることができる。
【先行技術文献】
【特許文献】
【０００３】
【特許文献１】特開２００５−１０３２６２号公報
【特許文献２】特開２０１０−９９２４３号公報
【発明の概要】
【発明が解決しようとする課題】
【０００４】
上述のような保育器においては、処置者がエンクロージャ内の児の処置を行なうときに、手入れ窓からのアクセスに不都合がある場合には、開放式の壁部を開放して児に対するアクセスを行なうようにしていた。壁部の開放は、壁部の下端側にヒンジを取り付け、このヒンジを中心として側方であって、外方に回動させて開放することが一般的に行われている。ところが外方に開放させるようにすると、開放された処置窓が側方に出っ張るために、処置者の身体に触れて処置者に対して邪魔になる可能性がある。また、処置者が、壁部が側方に出っ張る分だけエンクロージャ内の児に近接することができず、処置性が低下する可能性があった。なお、保育器の壁部の清拭や消毒を行なう妨げになる可能性もあった。
【０００５】
本願発明は、特許文献１、２の保育器における上述のような欠点を、比較的簡単な構成でもって、効果的に是正し得るようにしたものである。
【課題を解決するための手段】
【０００６】
本願発明は、基台上に臥床架を配置するとともに、前記臥床架の周囲を前側壁部、後側壁部、頭側壁部、および脚側壁部で囲むようにした保育器において、前記前側壁部、後側壁部、頭側壁部、および脚側壁部の内の少なくとも１つの壁部がヒンジ機構によって外方に回動可能であって、しかも、前記ヒンジ機構が取り外し機構を備え、前記回動可能な前記少なくとも１つの壁部が取り外し可能であることを特徴とする保育器に関するものである。
【０００７】
本発明の第１の観点においては、前記前側壁部、後側壁部、および脚側壁部が回動可能であって、しかも、取り外し機構によって取り外し可能にしている。また、本発明の第２の観点においては、前記ヒンジ機構が前記基台上の取り付け枠によって取り付けられ、前記前側壁部、後側壁部、および脚側壁部の内の少なくとも１つの壁部がその下縁に取り付けられたヒンジ機構によってこのヒンジ機構の水平な軸線を中心に外方に回動可能に支持され、外方に回動されると前記少なくとも１つの壁部が下方に垂れ下がるようにして開放されるようにしている。
【０００８】
本発明の第３の観点においては、前記少なくとも１つの壁部の下縁にヒンジ板が連設されるとともに、このヒンジ板の先端部にケースが設けられ、このケース内に軸線方向に摺動可能にヒンジピンが保持されており、前記ケース内における前記ヒンジピンの軸線方向の移動機構によって前記取り外し機構が構成され、前記ヒンジピンの摺動動作によって前記少なくとも１つの壁部の取り付けと取り外しとが切り換えられるようにしている。上記第３の観点の第１の態様は、前記ヒンジピンに前記軸線方向と直交する方向に突出する操作レバーが設けられるとともに、前記ヒンジピンがコイルばねによって前記取り付け枠の凹部のピン穴に係合するように付勢され、前記操作レバーによって前記コイルばねの付勢力に抗して前記ヒンジピンを摺動させると、前記ヒンジピンが前記凹部のピン穴から離脱して前記少なくとも１つの壁部が取り外されるようにしている。
【０００９】
また、本発明の第３の観点の第２の態様は、前記取り付け枠の凹部の入口部分に傾斜面が形成され、この傾斜面に前記ヒンジピンを接触させながら前記少なくとも１つの壁部のケースを前記取り付け枠の凹部に押し込むと前記凹部の壁面によって前記ヒンジピンが前記コイルばねに抗して押し込まれるとともに、所定の押し込み位置で前記ヒンジピンが前記凹部のピン穴内に前記圧縮コイルばねによって押し込まれて取り付けられるようにしている。
【発明の効果】
【００１０】
請求項１の発明によれば、エンクロージャ内の児にアクセスする場合においては、少なくとも１つの壁部を外方に回動させるようにすればよい。また、上記の開放のための回動によってもなお壁部が邪魔な場合には、取り外し機構によってこの壁部を取り外すことが可能になり、これによってエンクロージャ内の児に対するアクセスが容易になり、処置者の姿勢が上記の壁部で邪魔されることがなくなる。
【００１１】
請求項２の発明によれば、前側壁部と後側壁部と脚側壁部とが回動可能であって、しかも、取り外し機構によって取り外し可能であるために、処置者がエンクロージャ内の児の処置を行なう際に、上記の各壁部が邪魔にならない。また、このように三方の壁部が回動可能でしかも、取り外し可能な構成によると、壁部の内側面の清拭、消毒等の動作が容易になる。
【００１２】
請求項３の発明によれば、前側壁部、後側壁部、および脚側壁部の内の少なくとも１つの壁部は、その下縁のヒンジ機構によって外方に回動可能に支持されるために、外方に回動されると少なくとも１つの壁部が下方に垂れ下がるようにして開放されることになる。従って開放された壁部とフードの外側面との間の横方向（側方方向）の寸法がほとんどなく、開放されたフードから外方に壁部が突出することがなくなって処置者に対して邪魔になることがなく、近接性が向上する。
【００１３】
請求項４の発明によれば、壁部のヒンジ板の先端側のケース内に設けられたヒンジピンがケースに対して軸線方向に摺動可能に保持され、これによって取り外し機構が構成される。従ってヒンジ機構内に取り外し機構を組込むことが可能になり、簡潔でしかも、スペースを要しない取り外し可能なヒンジ機構によって壁部を下方に回動させ、かつ必要に応じて取り外すことが可能になる。
【００１４】
請求項５の発明によれば、操作レバーによってコイルばねの付勢力に抗してヒンジピンを摺動させることによって、ヒンジ機構がピン穴から離脱して壁部が取り外されるようになり、操作レバーの操作による壁部の取り外しが可能になる。
【００１５】
請求項６の発明によれば、取り外した壁部のケースを取り付け枠の凹部に押し込むことによって、ヒンジピンを傾斜面によって後退させて凹部のピン穴内にヒンジピンを挿入することによって、取り外した壁部を再び取り付けることが可能になる。
【図面の簡単な説明】
【００１６】
【図１】本発明を閉鎖型保育器兼用の開放型保育器に適用した一実施の形態における保育器の、閉鎖状態での正面図である。
【図２】図１に示す保育器の斜視図である。
【図３】前側壁部の構造を示す側面図である。
【図４】同壁部の図３におけるＡ〜Ａ線断面図である。
【発明を実施するための形態】
【００１７】
本発明を閉鎖型保育器兼用の開放型保育器に適用した−実施の形態を、「１、保育器全体の概略的な構成」、「２、壁部の取り付け構造」および「３、壁部の回動動作および取り外し動作」に項分けして、図面を参照しつつ説明する。
【００１８】
１、保育器全体の概略的な構成
【００１９】
保育器１は、図１および図２に示すように、平面的に見てほぼ長方形状などの基台２と、この基台２のほぼ外周囲に沿って立設されているほぼ直方体形状などのエンクロージャ３とを備えている。そして、基台２上には、臥床架（図示せず）が配置されている。また、この臥床架上に配置されている児用のマット（図示せず）の上面には、必要に応じて薄いシーツ（図示せず）が敷かれてから、未熟児などの児が、上記児用マット上に横たわらされて、診察、処置、保育などを施される。さらに、エンクロージャ３は、全体としてほぼ透明であってよく、前側の壁部（換言すれば、エンクロージャ３の幅方向における一方の側の壁部）４、後側の壁部（換言すれば、エンクロージャ３の幅方向における他方の側の壁部−図示せず）、頭側の壁部（換言すれば、エンクロージャ３の長さ方向における一方の側の壁部または基端部側の壁部）５および脚側の壁部（換言すれば、エンクロージャ３の長さ方向における他方の側の壁部または先端部側の壁部）６をそれぞれ備えている。そして、前側の壁部４、後側の壁部、頭側の壁部５および脚側の壁部６によって、平面的に見てほぼ長方形状などの周囲枠部が構成されている。また、前側の壁部４、後側の壁部、脚側の壁部６は、児に対する診察、処置などを任意の方向から行えるようにするために、ほぼ下方に向かって開放され得るように構成されている。さらに、前側の壁部４、後側の壁部などには、左右一対などの手入れ窓７が配置されていてよい。なお、上述のように、前側の壁部４、後側の壁部および脚側の壁部６が完全に開放されたときには、保育器１を蘇生処置用装置としても用いることができる。
【００２０】
図１および図２に示す基台２は、ほぼ水平方向に延在するフレーム８に取り付け支持されている。そして、このフレーム８は、メイン支柱１１に支持されている。また、このメイン支柱１１は、それぞれが車輪１２付きの合計で例えば４本の腕部を有する左右一対のベース１３に取り付け支持されている。さらに、これら一対のベース１３は、共通の連結部材９によって、互いに連結されている。そして、この連結部材９には、メイン支柱１１が立設されている。また、図１および図２に示すメイン支柱１１に取り付け支持されているフレーム８には、図２に示すように互いにほぼ左右対称であってよい左右一対のサブ支柱１４ａ、１４ｂが共通の連結部材２２を介して取り付け支持されている。そして、これら左右一対のサブ支柱１４ａ、１４ｂは、頭側の壁部５から外方側に遠ざかる方向に向かってエンクロージャ３から離間した状態でもって、頭側の壁部５よりもさらに外方側に配置されている。
【００２１】
エンクロージャ３は、図１および図２に示すように、天面フード１５をさらに備えている。そして、左右一対のサブ支柱１４ａ、１４ｂのうちの図２における例えば左側の加熱器用サブ支柱１４ａには、図２に示すように、加熱器１６が支持軸１７によって取り付け支持されている。また、図２における例えば右側の天面フード用サブ支柱１４ｂには、天面フード１５が支持腕１８によって取り付け支持されている。この場合、天面フード１５は、ほぼ四角錐台形状などであってよく、また、その下面が開放された中空体であってよい。したがって、エンクロージャ３は、前記周囲枠部と、この周囲枠部の上端開口を選択的に覆うことができる天面フード１５とを備えている。そして、図１および図２に示す閉鎖型の状態での保育器１においては、エンクロージャ３は、ごく小さいほぼ小屋形状に構成されている。なお、左右一対のベース１３のうちの前側のベース１３には、左右一対のフットスイッチ１９ａ、１９ｂが互いに隣接して配設されている。そして、操作者が左側のフットスイッチ１９ａを足などで押圧操作したときには、フレーム８がメイン支柱１１に対して下降するので、このフレーム８に取り付けられている基台２などが同様に下降する。また、操作者が右側のフットスイッチ１９ｂを足などで押圧操作したときには、フレーム８がメイン支柱１１に対して上昇するので、このフレーム８に取り付けられている基台２などが同様に上昇する。
【００２２】
図１および図２に示す加熱器用サブ支柱１４ａおよび天面フード用サブ支柱１４ｂのそれぞれは、固定支柱２１および可動支柱（図示せず）から成っている。そして、左右一対のサブ支柱１４ａ、１４ｂの固定支柱２１の下端部は、共通の連結部材２２を介してフレーム８に取り付け支持されている。また、上記一対の可動支柱は、従動歯車、駆動用チェーン、駆動歯車、電動モータなどの昇降駆動機構（いずれも図示せず）によって、固定支柱２１内を上下方向にそれぞれ往復駆動（換言すれば、昇降駆動であって、固定支柱２１に対して伸縮可能に駆動）されるように構成されている。そして、天面フード１５が上昇位置まで移動したときには、保育器１は、開放型保育器として機能する。また、天面フード１５が図１および図２に示すように下降位置まで移動したときには、保育器１は、閉鎖型保育器として機能する。さらに、この閉鎖型保育器として機能するときには、加熱器１６は、その使用状態（この場合には、使用状態であっても少量の熱線しか放射されない。）においては上昇位置（図示せず）に留まり、その不使用状態においては図１および図２に示す下降位置まで移動していてよい。
【００２３】
基台２の脚側の壁部６側には、図２に示すように、開閉用ドア２５が配設されている。そして、この開閉用ドア２５は、加湿器としての加湿ユニット（図示せず）を保育器本体２６の基台２に装着したり取り出したりするのに用いられる開口２４を開閉することができる。また、天面フード１５用のサブ支柱１４ａの固定支柱２１には、図１および図２に示すように、操作ユニット兼用の表示ユニット３１（以下、本明細書においては、単に、「表示ユニット３１」ともいう。）が支柱２１に対して着脱可能にかつ支柱２１に沿ってほぼ上下方向に往復動可能に取り付けられている。
【００２４】
２、壁部の取り付け構造
【００２５】
つぎに、この実施の形態の保育器１の側面の開放および取り外しの構造について説明する。保育器１の基台２上に設けられているエンクロージャ３は、前側の壁部４、後側の壁部（図示せず）、頭側の壁部５、脚側の壁部６を備え、これらの壁部３〜６によって四囲を囲まれている。そして前側の壁部４、後側の壁部、脚側の壁部６にはそれぞれ手入れ窓７が設けられており、必要に応じてこの手入れ窓７を開いて中に手を挿入して児に対する処置を行なうことができるようにてしている。さらにこの保育器１においては、上記前側の壁部４、後側の頭側、脚側の壁部６をそれぞれ下端側のヒンジを中心として外方に回動させて垂下させるようにし、さらに垂下した壁部４、６については、これらを取り外しできるようにしている。
【００２６】
前側の壁部４の具体的な構造は、図３に示される。この壁部は、内外２枚の壁板から構成されており、外側壁板３３と内側壁板３４とを、所定の空間を離した状態で互いに結合している。なお、外側壁板３３および内側壁板３４は、ともに透明なアクリル樹脂板から構成されている。また、外側壁板３３と内側壁板３４との連結構造は、適宜ビス等によって行なわれるようになっており、両側の壁板３３、３４間の空間が上下方向に連通された空気流動空間を形成している。このような空気流動空間は、下部であって、基台２の内部に設けられた送風機によって圧送される空気を上方に向って流動させる空間になっている。
【００２７】
外側壁板３３の上部であって、この手入れ窓７の位置には窓が形成され、この窓の外周囲に対応するように楕円形の枠体３８が設けられている。楕円形の枠体３８は透明なアクリル樹脂板の窓板を備えており、側端のヒンジ３９によって回動可能に支持されている。そしてこの楕円形の枠体３８の端部にロック機構４０が取り付けられており、このロック機構４０によって楕円形の枠体３８が手入れ窓７を閉じた状態でロックされるようにしている。また、前側の壁部４の両側部であって、上方位置にはラッチ４１が取り付けられており、このラッチ４１が頭側の壁部５および脚側の壁部６の端部の受け金４２によって受けられ、前側の壁部４が閉じた状態で維持されるようにしている。
【００２８】
つぎに、この前側の壁部４の下端に取り付けられているヒンジ機構について説明する。基台２の上部であって、外側部にはその四囲を囲むように取り付け枠４６が取り付けられている。取り付け枠４６には図４に示すようなヒンジ機構４７が設けられており、このようなヒンジ機構４７によって図１に示す前側の壁部４の下端であって、その左右両端の部分がそれぞれ回動可能であって、外方に開くように支持されている。すなわち前側の壁部４の下端部にはヒンジ板４８が連設されるとともに、このヒンジ板４８の先端側の部分に円筒状のケース４９が設けられている。なお、円筒状のケース４９の内周面には条溝５０が複数個形成された空洞が形成されている。そしてこのようなケース４９の軸線方向の両側にはそれぞれ軸線方向に摺動可能にヒンジピン５１が収納されている。このようなヒンジピン５１の端部とこのケース４９の中間の当接突部５２との間に圧縮コイルばね５３が介装されている。圧縮コイルばね５３は、両側のヒンジピン５１をそれぞれ外方に押圧するようにしており、ヒンジピン５１の先端部をピン穴６０に押し込むように付勢している。そしてヒンジピン５１には側方に突出するように操作レバー５４が植設されており、この操作レバー５４はケース４９の摺動用開口５５内を摺動するようにし、これによって操作レバー５４によるヒンジピン５１の軸線方向の摺動を可能にしている。
【００２９】
このようなヒンジ機構４７が取り付け枠４６の凹部５８に受入れられるようになっている。この凹部５８の入口部分であって、その両側の部分には傾斜面５９が形成されている。傾斜面５９はヒンジピン５１に対してカムとしての作用を与え、取り付け枠４６に対して前側の壁部４を挿入すると、ヒンジピン５１の先端側の部分が傾斜面５９によって押されて凹部５８の垂直な壁面を移動し、この後ピン穴６０に至ると、圧縮コイルばね５３によってヒンジピン５１がピン穴６０に係合されて取り付けされるようになっている。
【００３０】
３、壁部の回動動作および取り外し動作
【００３１】
前側の壁部４を図２において鎖線で示すように外方に回動させる場合には、天面フード１５を上昇させてから、この前側の壁部４の両端のラッチ４１を受け金４２から外し、この状態で、前側壁部４を側方であって、外方に倒すようにして、下側のヒンジ機構４７のヒンジピン５１の水平な軸線を中心として回動させる。ここで前側の壁部４は、ヒンジ機構４７によって外方に１８０度回動されるようになっており、完全に回動されると、前側の壁部４がヒンジ機構４７を上端として下方に垂下し、このときに基台２の外周部に対してその突出量Ｌ１（図２参照）は極めて小さな値になっていることが好ましい。従って、前側の壁部４を開放して垂下した状態においては、この壁部４が側方に出っ張ることがなく、処置者の姿勢の邪魔になることがなく、処置性の向上が図られる。
【００３２】
なお、本実施の形態においては、保育器１の基台２の周囲を囲む前側の壁部４のみならず、反対側の後側の壁部についても同様の構成になっている。また、脚側の壁部６についても同様の構成になっており、この脚側の壁部６を外方に回動して下方に垂下させることができるようになっている。図１において鎖線で示す状態は、脚側の壁部６を側方に回動させて下方に垂下した状態を示している。このときの脚側の壁部６の外側部に対する突出量Ｌ２もまた極めて小さな値になっていることが好ましい。なお、前側の壁部４の反対側の後側の壁部および脚側の壁部６を外方に回動して下方に垂下させる場合にも、前述したように天面フード１５を予め上昇させておく。
【００３３】
つぎに、上記前側の壁部４を下方に垂下させた状態でさらに取り外す動作について説明する。この動作は、前側の壁部４を下側のヒンジ機構４７を用いて図２において鎖線で示すように下方に垂下させた後に、上記ヒンジ機構４７の上面に露出する操作レバー５４を手または指で押すことによって達成される。操作レバー５４を摺動用開口５５内において、それらを互いに近接するように圧縮コイルばね５３に抗して押すと、ヒンジピン５１の先端部が取り付け枠４６の凹部５８の垂直な壁面のピン穴６０から離脱する。従ってこの状態で、前側の壁部４を上記ヒンジピン５１の摺動方向と直交する方向に引っ張り、取り付け枠４６の凹部５８からヒンジ機構４７のケース４９を取り外す。これによって前側の壁部４が取り付け枠４６から取り外されるようになる。このように前側の壁部４を側方に回動させて垂下した後さらにヒンジ機構４７に設けられている取り外し機構を利用して取り外すことにより、前側の壁部４が保育器１から分離されることになる。従って、この前側の壁部４を保育器１から分離して清拭したり消毒したりすることができる。さらにこの前側の壁部４を取り外した開口を利用して、保育器１のエンクロージャ３内をも清拭したり消毒したりすることが可能になる。なお、必要であれば、上記の前側の壁部４を取り外した状態で基台２の臥床架に横たわる児の処置を行なうこともできる。なお、上述の取り外しの構造は、前側の壁部４のみならず、後側の壁部および脚側の壁部６についても同様になっている。従って、前側の壁部４、後側の壁部、および脚側の壁部６をそれぞれ取り外して三方を開放状態にすることもできる。また、本実施の形態においては、頭側の壁部５は固定式になっているが、取り外し可能な構成にしたり、サブ支柱１４ａ、１４ｂが存在しない保育器であれば、頭側の壁部５を他の壁部と同様の外方に回動および取り外し可能な構成にしたりしてもよい。
【００３４】
つぎに、取り外された前側の壁部４の組立ての動作について説明する。この保育器１から分離された前側の壁部４の下端のヒンジ板４８およびケース４９を、取り付け枠４６の凹部５８内に挿入することによって行われる。前側の壁部４の取り付け枠４６の凹部５８内に、ヒンジ板４８の先端側のケース４９を押し込む。このときに圧縮コイルばね５３によって両側に突出しているヒンジピン５１を傾斜面５９によってケース４９内に押し込むようにする。凹部５８の両側の垂直な壁面によってヒンジピン５１は没入した状態で組立てられる。そして所定の位置まで押し込むと、ヒンジピン５１の中心部がピン穴６０の中心部と一致した位置で、ヒンジピン５１を押圧する壁面が存在しなくなるために、ヒンジピン５１は圧縮コイルばね５３によって互いに離間するように水平方向に突出し、ピン穴６０によって回動自在に支持される。これによって前側の壁部４が側方に回動可能な状態でヒンジ機構４７によって取り付けられることになる。従ってこの状態で、前側の壁部４を上方に回動させて図１に示すように前側の開口部を塞ぐようにすればよい。なお、後側の壁部、および脚側の壁部６についても、同様にして取り付けられる。
【００３５】
以上本願発明を図示の実施の形態によって説明したが、本願発明は上記実施の形態によって限定されることなく、本願発明の技術的思想の範囲内において各種の変更が可能である。例えば上記実施の形態においては、前側の壁部４のみならず、この前側の壁部４と反対側の後側の壁部についても回動可能であって、しかも、取り外し可能に構成されている。しかるに後側の壁部については固定式とし、回動および取り外しが不能としてもよい。
【００３６】
また、上記実施の形態においては、前側壁部４の両端の下縁にヒンジ機構４７が取り付けられているが、前側壁部４の下端の中央に単一のヒンジ機構を取り付けるようにしてもよい。これによってコストの低減が図られる。
【００３７】
また、上記実施の形態における天面フード１５については、支持腕１８に支持された状態で上部開口を塞ぐようにしているが、この天面フード１５についても、回動式とし、さらに支持腕１８とともに、あるいは支持腕１８から取り外し可能としてもよい。
【符号の説明】
【００３８】
１  保育器
２  基台
４  前側の壁部
６  脚側の壁部
４６  取り付け枠
４７  ヒンジ機構
４８  ヒンジ板
４９  ケース
５１  ヒンジピン
５３  圧縮コイルばね
５４  操作レバー
５８  凹部
５９  傾斜面
６０  ピン穴
【図１】
2014014441.tif 000003
【図２】
2014014441.tif 000004
【図３】
2014014441.tif 000005
【図４】
2014014441.tif 000006